(57)【要約】【課題】門扉の縦枠の見付けや見込み寸法の制限を受けることがなく、それ自体が斬新でデザイン性が高いだけでなく、門扉のデザインとうまく融合することができ、しかも安全性と操作性にも優れた錠ユニットと門扉構造とを備えた門扉構造を提供する。【解決手段】門柱に回動自在に支持された門扉の戸当り側の縦枠８を構成する上部縦枠と下部縦枠との間に錠ケース８ｃを設けるとともに、該錠ケース８ｃには上記門扉に連結する連結部を設け、上記錠ケース８ｃの内側には錠機構を設けた。上記門扉は、両開き門扉であってもよく、あるいは上記門扉のうち一方の門扉は親扉で、他方の門扉は子扉であってもよい。【選択図】図１１
2008190126.tif 000002
【特許請求の範囲】
【請求項１】
門柱に回動自在に支持された門扉の戸当り側の縦枠を構成する上部縦枠と下部縦枠との間に錠ケースを設けるとともに、該錠ケースには上記門扉に連結する連結部を設け、上記錠ケースの内側には錠機構を設けたことを特徴とする門扉構造。
【請求項２】
上記錠ケースには、上記上部縦枠と下部縦枠とに連結する連結部を設けたことを特徴とする、請求項１に記載の門扉構造。
【請求項３】
上記門扉は、両開き門扉であることを特徴とする、請求項１又は２に記載の門扉構造。
【請求項４】
上記門扉のうち一方の門扉は親扉で、他方の門扉は子扉であることを特徴とする、請求項３に記載の門扉構造。
【発明の詳細な説明】
【技術分野】
【０００１】
本発明は、ワイド感に富み、デザインも斬新で洗練され、また風が吹いたりして門扉が揺れてもがたつき音が発生しない門扉を備えた門扉構造に関するものである。
【背景技術】
【０００２】
一般に、門は門柱に門扉を回動開閉自在に支持したものであり、門のデザインは、門扉にデザインを施すのみであった。例えば、門扉を鋳物から構成し、門扉の外枠やその内側の格子部分をアーチ状に形成したり、一部をねじったり、渦巻き状や矢じり状の立体模様を施すものであった。門は家の顔ともいうべきものであるから、機能よりもデザイン性が求められるようになり、さらに門扉のデザインをより強調したいという要求が強くなった。これに対応するものとして、特に両開き門扉において、２つの門扉に連続する模様を施し、これによって閉扉したときに左右に連続模様が現れるようにしたものが知られている（特許文献１、２参照）。これにより、各門扉に独立にデザインを施すよりも、門扉による開口部が広く見えるという意匠的効果が得られる。
【０００３】
また、門の門扉には錠ユニットが設けられている。従来は、門扉用錠の台座は門扉の縦枠の内部に組み込まれる構造であった（特許文献３参照）。そのほか、錠ユニットを縦枠の外側に取り付けたものも知られている（特許文献４参照）。
【０００４】
さらに、門扉の戸当り側の縦枠には、落し棒を摺動自在にガイドする落し棒ガイドを取り付け、設置面には落し棒に対応する受けツボが形成されている。そして、閉扉時には上記落し棒ガイドに沿って下方に摺動させた落し棒の下端を受けツボに挿入係合させ、門扉が閉じ状態に保持されるようにしていた（特許文献５参照）。
【特許文献１】特開２００４−３１６３０１公報
【特許文献２】特開平９−０２５６７６１号公報
【特許文献３】特開２００１−２２７２６９公報
【特許文献４】特開平１１−１５２９７６号公報
【特許文献５】特開平０９−２３５９２８号公報
【発明の開示】
【発明が解決しようとする課題】
【０００５】
しかしながら、このような連続模様によるワイド感も２枚の門扉の幅分しか得られなかった。そこで、門柱にも門扉の模様と同様の要素を取り入れることにより、門の全体意匠を向上させることも行われているが、従来の門扉のデザインは、あくまでも門柱は門柱、門扉は門扉に限定されていた。このため、時代の変化に対応して新たなデザインが望まれるなかで、斬新なデザインや個性あふれるデザインを採用することが難しかった。
【０００６】
また、錠ユニットの台座が外側に露出することはなく、錠ユニットの台座の形状や大きさは、上記縦枠の見付け寸法や見込み寸法によって制限を受けており、錠の台座だけでなく錠自体のデザインもあまり重要視されていなかった。さらに、錠ユニットを縦枠の外側に取り付けたものは、門扉のデザインとの融合性に欠けるほか、見付け面の延長方向に突出すると、門扉自体が小さくなるという問題があった。
そのほか、台座あるいは開閉操作用の操作レバーが門扉面よりも突出した構造であったから、衣服を引っ掛けたりするなど、安全性に対する問題を抱えていた。
【０００７】
さらに、落し棒ガイドも落し棒もアルミニウム等の金属から構成されているので、風が吹いて門扉が揺れたり、出入り時に接触するだけで不快な騒音が発生するという問題があった。
【０００８】
本発明は従来の門扉が横方向へのデザイン的延長感に乏しかった点に着目し、門扉と門柱の意匠的関連をより一層高めることによってワイド感に富んだ斬新なデザインの門を提供することをその第１の課題とする。
【０００９】
また、本発明は、門扉の縦枠の見付けや見込み寸法の制限を受けることがなく、それ自体が斬新でデザイン性が高いだけでなく、門扉のデザインとうまく融合することができ、しかも安全性と操作性にも優れた錠ユニットと門扉構造とを備えた門扉構造を提供することをその第２の課題とする。
【００１０】
更に、本発明は、風が吹いたり、出入り時に接触したりして門扉が振れても、不快ながたつき音が発生するのを有効確実に防止することができる門扉構造を提供することを第３の課題とする。
【課題を解決するための手段】
【００１１】
前記第２の課題を解決するため、請求項１に係る発明は、門柱に回動自在に支持された門扉の戸当り側の縦枠を構成する上部縦枠と下部縦枠との間に錠ケースを設けるとともに、該錠ケースには上記門扉に連結する連結部を設け、上記錠ケースの内側には錠機構を設けたことを特徴とする。
【００１２】
請求項２に係る発明は、請求項１において、上記錠ケースには、上記上部縦枠と下部縦枠とに連結する連結部を設けたことを特徴とする。
【００１３】
請求項３に係る発明は、請求項１又は２において、上記門扉は、両開き門扉であることを特徴とする。
【００１４】
請求項４に係る発明は、請求項３において、上記門扉のうち一方の門扉は親扉で、他方の門扉は子扉であることを特徴とする。
【発明を実施するための最良の形態】
【００１５】
図１（ａ）は本発明に係る門の正面図、同図（ｂ）は門柱パネルの正面図を示す。この門は２本の門柱１００の間に２枚の両開き門扉１０１、１０２を配置し、左側門扉１０１と右側門扉１０２の吊元側をヒンジ金具１０６を介して上記門柱１００に回動開閉自在に支持したものである。
【００１６】
左側門扉１０１と右側門扉１０２はアルミニウムの鋳物製で、透かしデザインが施されており、吊元側の縦枠１０３と戸当り側の縦枠１０４との間に波形形状の装飾格子１０５が配置されている。各装飾格子１０５はゆるやかにうねるような波形形状をなしており、視覚的に左右方向に延びるデザインとして設けられている。左側門扉１０１の高さは右側門扉１０２の高さに比べて小さく形成されている。
【００１７】
次に、図２に示されるように、門柱１００は２種類のアルミニウム製押出型材１１０、１１１を前後（正背）方向に結合してそれぞれ左右の側面部１１２を形成し、左右側面部１１２の上下端部は、それぞれ前後に同じ押出型材製の上面部１１３と下面部１１４とによって連結し、さらに前面（正面）と後面（背面）において上記側面部１１２と上下面部１１３、１１４との間に形成された開口部Ａに門柱パネル１１５を固定したものである。図３に示されるように、上面部１１３の下端内側と下面部１１４の上端内側にはそれぞれ段部１１６が形成されている。すなわち、上記左右側面部１１２の内側の前後部にはそれぞれ互いに相対する突片１１７が形成され、突片１１７の外側にはステンレス製などの補強材１１８が取り付けられている。
【００１８】
門柱パネル１１５の両側部は、上記側面部１１２の前後の内側に形成された突片１１７上の補強材１１８に係合し、また門柱パネル１１５の上下端部は上下面部の段部１１６に係合して位置決めされ、ビス１２０によって固定されている。なお、門柱パネル１１５の高さは門扉１０１、１０２の高さとほぼ同じに現れている。
【００１９】
ところで、門柱パネル１１５は鋳物製で、透かしデザインが施されており、長方形のパネル枠１２１の内側に横方向に装飾格子１２２が設けられている。装飾格子１２２は、左側門扉１０１と右側門扉１０２の装飾格子１０５の延長上に連続するように設けられている。門柱パネル１１５の装飾格子１２２は左右の門柱パネル１１５において同じで、最上部の装飾格子１２２ａは右下がり、２番目の装飾格子１２２ｂは水平、３番目の装飾格子１２２ｃは右上がり、同様にして４番目、５番目等の装飾格子１２２も右上がりか水平か、あるいは右下がりに形成されている。
【００２０】
すなわち、門柱パネル１１５の装飾格子１２２は左側門扉１０１と右側門扉１０２の装飾格子１０５と関係している。左側門扉１０１の最上部の装飾格子１０５ａは、図１の左端から少し下がってピークから緩やかに上がり、続いて右側門扉１０２の最上部の装飾格子１０５ａは続けて緩やかに上がった後、ピークを経て図の右端で少し上がっている。左側門扉１０１の上から２番目の装飾格子１０５ｂは、図の左端から緩やかに下がって底部に至り、さらに右側門扉１０２の左端から緩やかに上がって右端でピークになるように形成されている。上から３番目の装飾格子１０５ｃは、左側門扉１０１の左端から少し上がって緩やかに下がり、続いて右側門扉１０２の装飾格子１０５の左端は緩やかに下がった後、底部から図の右端で少し上がるように形成されている。
【００２１】
これに対応して、左側の門柱パネル１１５の最上部の装飾格子１２２ａは右下がり、上から２番目の装飾格子１２２ｂはほぼ水平となり、さらに上から３番目の装飾格子１２２ｃは右上がりとなっている。同様に、右側の門柱パネル１１５の最上部の装飾格子１２２ａは右下がり、上から２番目の装飾格子１２２ｂはほぼ水平となり、さらに上から３番目の装飾格子１２２ｃは右上がりとなっている。つまり、左右の門柱パネル１１５は同じ透かしデザインである。
【００２２】
また、門柱パネル１１５の装飾格子１２２の左端は、右側の門扉１０２の右端の高さに合わせ、門柱パネル１１５の装飾格子１２２の右端は、左側の門扉１０１の左端の高さに合わせられている。門扉と門柱パネルの４番目以降の装飾格子１０５、１２２も同様である。
【００２３】
要するに、門柱パネル１１５の各装飾格子１２２の左端と右端の高さは、それぞれ両開き門扉の対応する装飾格子１０５の右端と左端の高さとほぼ等しくなるように設定されている。
【００２４】
上記装飾格子構成によって、門柱パネル１１５の分だけデザインの幅が広がり、デザインの自由度も増しただけでなく、門扉のデザインと門柱１００のデザインとが横方向に連続するので、門扉と門柱１００の意匠的関連がより一層高められ、これによってワイド感に富んだ斬新なデザインの門を提供することができる。
【００２５】
なお、門扉１０１、１０２、門柱パネル１１５ともに鋳物のパネルを用いることにより装飾性が高められるとともに、門柱１００にアルミニウムの押出型材を用いたため、門扉のヒンジ金具１０３の取付性、鋳物パネルの取付性が良い。
【００２６】
また、門柱パネル１１５は左右を兼用することができるので、コストも低く抑えることができる。もちろん、左右の門柱パネル１１５の装飾格子１２２のデザインを変えてもよい。同様に、装飾格子１０５、１２２は棒状でなく、帯板状であってもよく、また中途部で広くなったり狭くなったりしてもよい。
【００２７】
なお、門柱１００と門扉１０１、１０２とのデザインの連続構成は、必ずしも上述の両開き門扉で両側門柱１００に門柱パネル１１５を配置した態様に限定されない。たとえば、次のような構成でもよい。
（１）図４に示されるように、両開き門扉であるが、一方の門柱１００にのみ門柱パネル１１５が配置され、他方の門柱１００ａは角柱状に形成されている構成。
（２）図５に示されるように、両門柱１００に門柱パネル１１５が配置され、内側の門扉は両開き門扉であるが、一方が親扉１０１ａ、他方が子扉１０２ａとなっている構成。
（３）図６に示されるように、両門柱１００に門柱パネル１１５が配置されているが、内側の門扉１０１は１枚だけの片開き門扉である構成。
（４）図示しないが、片開き門扉で、一方の門柱１００にのみ門柱パネル１１５が配置され、他方の門柱１００ｂは角柱状に形成されている構成。
（５）上記左右の門柱１００の開口部Ａに取り付けられる門柱パネル１１５には、左右対称のデザインが設けられている構成。
（６）図７に示されるように、門柱パネル１１５が、門扉１０１、１０２のデザインに対して左右で上下逆のデザインで対応するようになっている構成。
（７）装飾格子１０５、１２２は棒状でなく、帯板状であってもよく、また中途部で広くなったり狭くなったりしてもよい。
【００２８】
次に、図８及び図９は本発明に係るアルミニウムの押出型材製門の正面図及び一部の縦断面図で、この門は２本の門柱１の間に２枚の両開き門扉２、３を配置し、各門扉２、３の吊元側をヒンジ金具４を介して上記門柱１に回動開閉自在に支持したものである。門扉２、３は上下枠５、６と吊元側の縦枠７と戸当り側の縦枠８とを方形に枠組みするとともに、内側に縦格子１０と横格子１１とを配置したものである。なお、左右両側の各門扉２、３の上下枠５、６と縦枠７、８とは断面がほぼ同形状で、連結金具を介して４５度の留め切りで連結固定されている。
【００２９】
各門扉２、３の戸当り側の縦枠８の中途部には錠ユニットａが設けられている。すなわち、門扉２、３の戸当り側の縦枠８は図１０に示されるように、上部縦枠８ａと下部縦枠８ｂとに分割されている。上部縦枠８ａと下部縦枠８ｂとの間には錠ケース８ｃが設けられ、錠ケース８ｃには後述のように錠ユニットａが取り付けられている。錠ケース８ｃの厚さは上部縦枠８ａと下部縦枠８ｂの見込み幅とほぼ同じ寸法に形成されている。また、両門扉２、３の上部縦枠８ａと下部縦枠８ｂと錠ケース８ｃとは同じ形状、同じ大きさに形成されている。
【００３０】
上記縦枠８は断面が略台形の型材から構成され、錠ケース８ｃは図１１〜図１３に示されるように、アルミダイキャスト製部材で、半円弧状の枠本体１０と枠本体１０の上下端から上下方向に突出形成された嵌合軸部１１とから形成されている。枠本体１０は内側に錠ユニットａを取り付けるための側で、その内周面には凹溝１２が形成されている。なお、上部縦枠８ａと下部縦枠８ｂと錠ケース８ｃの見込み寸法はほぼ同じである。また、門扉２、３と錠ケース８ｃには裏表がない。錠ケース８ｃの上端と下端には連結部１１が形成され、この連結部１１を上部縦枠８ａと下部縦枠８ｂに嵌合しネジ止めすることによって連結固定されている。
【００３１】
このとき、上記左右の各門扉２、３の錠ケース８ｃの枠本体１０は門扉２、３の内側に納められ、上部縦枠８ａと下部縦枠８ｂの外側には突出しないように形成されている。
【００３２】
次に、錠ケース８ｃの見込み面内には錠機構を有する錠ユニットａが取り付けられている。錠ユニットａは錠掛け部材１３と錠受け部材１４とから構成され、一方の錠ケース８ｃの内側には錠掛け部材１３が、他方の錠ケース８ｃの内側には錠受け部材１４が取り付けられている。錠掛け部材１３と錠受け部材１４とにはそれぞれ錠機構が設けられている。
【００３３】
錠掛け部材１３は半円状ブロック１３ａの端面の中間部に軸受け孔１５を有する半円状部１６が突出形成されているもので、錠ケース８ｃの内側に嵌り合うように形成されている。錠掛け部材１３の外周面に沿って錠ケース８ｃの内周面の凹溝１２に嵌合可能な嵌合凸部１７が形成されている。また、錠掛け部材１３の内側には上記端面１８に開口する収納溝２０が形成されている。
【００３４】
錠掛け部材１３の収納溝２０の内部には回転板２１が回動自在に収納されている。回転板２１はほぼ半円板状に形成され、錠掛け部材１３の軸受け孔１５に軸受けされた回動軸２２に回動自在に支持されている。回転板２１の一部には摘み２３が形成されている。摘み２３から先は錠掛け部２４で、常時収納溝２０からはみ出るようになっている。また、錠掛け部材１３の周縁部の略中間部にはロック用穴２５が貫通形成されている。
【００３５】
なお、収納溝２０の下部には板バネ２６が取り付けられている。これに対応し、回転板２１の摘み２３と反対側の周面には上記板バネ２６に係合可能な凹部２７が形成されている。そして、上記摘み２３が錠掛け部材１３の端面に係合しているときは、回転板２１の凹部２７は上記板バネ２６に係合し、この状態が保持されるようになっている。
【００３６】
上記構成の錠掛け部材１３は、その外周面の嵌合凸部１７を一方の錠ケース８ｃの内周面の凹溝１２に嵌合し、固定ネジ２７でネジ止めすることによって固定されている。
【００３７】
次に、錠受け部材１４は半円弧状ブロックで、下半部は内側に突出して錠受け部本体２８を構成している。錠受け部材１４の外周面に沿っても、錠ケース８ｃの内周面の凹溝１２に嵌合可能な嵌合凸部１７が形成され、錠ケース８ｃの内側に嵌り合うように形成されている。錠受け部本体２８には、円弧状の欠け落ち部３０が形成されている。錠受け部材１４の内周面には凹溝３１が形成されている。そして、凹溝３１の内側には錠受け部３２が嵌合固定されている。錠受け部３２は硬質の合成樹脂によって構成され、内部には上方と側方とに開口する受け溝３３が形成されている。受け溝３３の溝幅は上記回転板２１の板厚よりもわずかに大きく、上端には案内面３４が形成されている。
【００３８】
上記構成の錠受け部材１４は、その外周面の嵌合凸部１７を他方の錠ケース８ｃの内周面の凹溝１２に嵌合し、固定ネジ３５でネジ止めすることによって固定されている。
【００３９】
次に、上記構成の錠ユニットａの施錠、解錠について説明すると、まず施錠するときは、左右の門扉２、３を閉じる。このとき、両側の錠ケース８ｃは図１及び図１４に示されるように突合せられて１つの円を構成するとともに、錠受け部材１４の錠受け部本体２８は、錠掛け部材１３の下部に突合せ状に配置される。次に、錠掛け部材１３の回転板２１の摘み２３に手を掛けて回転板２１を図１１の実線で示されるように回動軸２２を中心に回動させる。これによって回転板２１の錠掛け部２４は錠受け部材１４側に回り込み、錠受け部３２の受け溝３３の内側に挿入される。摘み２３が錠受け部３２の上端に係合したときに、錠掛け部２４は錠受け部３２の受け溝３３の最も深い位置に係合する。さらに、ロック用穴２５を利用して図示しない鍵を掛けることによって回転板２１は逆方向に回転することができなくなり、両開き門扉２、３は施錠される。
【００４０】
解錠するときは、上記鍵を外して回転板２１を逆方向に回転させ、回転板２１の凹部２７を錠掛け部材１３の板バネ２６に係合させればよい。回転板２１はこの状態が保持され、両開き門扉２、３は開放可能となる。
【００４１】
上述のように、上記門扉２、３の戸当り側の縦枠構造によれば、上記左右の各門扉２、３の錠ケース８ｃの枠本体１０は門扉２、３の内側に納められ、上部縦枠８ａと下部縦枠８ｂの外側には突出しないように形成されているので、門扉２、３の縦枠８の見付け寸法に制限を受けることがない。また、特に門扉２、３の縦枠の見込み寸法にも制限を受けることがないので、それ自体が斬新でデザイン性が高いだけでなく、門扉２、３のデザインとうまく融合することができ、しかも安全性と操作性にも優れた錠ユニットａと門扉２、３構造とを備えた門を提供することができる。
【００４２】
また、デザイン性を有する錠ケース８ｃを用いることで、錠ユニットａにも意匠性をもたせることができ、斬新なデザインの門扉２、３を得ることができる。
【００４３】
さらに、錠ユニットａの見込み寸法が縦枠の見込み寸法とほぼ同じに形成され、錠ユニットａが縦枠のほぼ見込み面内に納められているので、出入りの際に衣服を引っ掛けたりする問題がない。
【００４４】
左右両側の門扉２、３の上部縦枠８ａと下部縦枠８ｂと錠ケース８ｃとは同じ形状、同じ大きさに形成されているので、門扉２、３の左右の別なく取り付けることができ、規格数を抑えることができ、低コストで製作することができる。
【００４５】
錠掛け側と錠受け側の表裏を同一にしたことで、錠ユニットａの左右勝手がなく、現場での対応力が高い。
【００４６】
施錠時に、回転板２１の錠掛け部２４は錠受け部３２の受け溝３３の内側に挿入されるが、錠受け部３２は硬質合成樹脂製であるから、風が吹いたり、出入り時に接触したりして門扉２、３が振れても、金属製の錠掛け部２４が合成樹脂製の錠受け部３２に係合するので、不快ながたつき音が発生するのを有効確実に防止することができる。
【００４７】
なお、錠ケース８ｃの外形デザインは上述のように半円形に限定されない。楕円形でも、四角形や三角形などの多角形状でもよく、多様な形状にすることができるので、門扉２、３に組み込まれるパネルデザインの創作の自由度が増す。
【００４８】
同様に、錠ケース８ｃの内側に配置される錠掛け部材１３や錠受け部材１４による錠ユニットの形状や構造も上述のものに限定されない。内掛け錠、レバーハンドル式、シリンダ錠等の錠ユニットでもよい。
【００４９】
次に、図８、図９及び図１５（ａ）（ｂ）に示されるように、両開き門扉２、３の戸当り側の縦枠８には、その敷地内側の見付け面に落し棒による施錠装置が設けられている。すなわち、上記縦枠８には落し棒３５を摺動自在にガイドする落し棒ガイド３６が取り付けられ、これに対応して設置面３７には閉扉時に上記落し棒ガイド３６に沿って下方に摺動させた落し棒３５の下端に係合する受けツボ４０が形成されている。
【００５０】
縦枠８の下部には取付ブラケット４１が縦枠８の見込み面で突合せられて固定されている。
【００５１】
上記取付ブラケット４１の見付け面には落し棒ガイド３６が固定されている。落し棒ガイド３６は図１６に示されるように、基板部３６ａの両側縁から湾曲した円弧状の側板部４２を突出させた形状をなし、側板部４２の先端間には開口溝４３が形成されている。また、基板部３６ａと側板部４２との連結部の内側には取付溝４４が形成されている。基板部３６ａは上記取付ブラケット４１の突合せ面３８にビス止め固定される。
【００５２】
また、図１７に示されるように、落し棒ガイド３６の内側の上部と下部には、それぞれ樹脂ガイド４５が取り付けられている。この樹脂ガイド４５は、図１８（ａ）（ｂ）及び図１９（ａ）（ｂ）に示されるように、それぞれ上記取付ブラケット４１と落し棒ガイド３６がアルミニウム製部材であるのに対し、合成樹脂製の部材で、上部の樹脂ガイド４５は、下部の断面Ｃ字形のガイド部４６と、ガイド部４６の上部から上方に突出形成された取付板部４７と、取付板部４７の上端からガイド部４６側に直角に屈曲した天端部４８とによって形成されている。ガイド部４６は落し棒ガイド３６の側板部４２の内面に当接した状態で嵌合する大きさとし、また天端部４８は図１７に示されるように、上記落し棒ガイド部３６の側板部４２の上端を覆い、かつ後述の落し棒３５が嵌合可能な大きさのＣ字形に湾曲し、両側の上端部には凹部５０が形成されている。下部の樹脂ガイド４５も上部樹脂ガイド４５と同じ形状をなし、落し棒ガイド３６には上部の樹脂ガイド４５を上下逆にした状態で取り付けられる。なお、樹脂ガイド４５と落し棒ガイド３６とはビス５１により共締めされて取付ブラケット４１に取り付けられている。
【００５３】
上部の樹脂ガイド４５を落し棒ガイド３６に取り付けるときは、まず樹脂ガイド４５の取付板部４７を落し棒ガイド３６の取付溝４４の上端から嵌合して下方にスライドさせ、天端部４８が落し棒ガイド３６の側板部４２の上端に当接した状態でガイド部４６を落し棒ガイド３６にビス止め固定する。下部の樹脂ガイド４５は、同様の要領で、取付板部４７を落し棒ガイド３６の下端から嵌合して上方にスライドさせ、天端部４８が落し棒ガイド３６の下端に係合した状態でガイド部４６を落し棒ガイド３６にビス止め固定すればよい。
【００５４】
上記取付ブラケット４１の内部には落し棒３５が摺動自在に取り付けられている。落し棒３５はステンレス等の金属棒材で、上部には摘み２３が突出形成されている。落し棒３５を取付ブラケット４１に取り付けるには、その下端を上部樹脂ガイド４５の天端部４８から嵌合して下方にスライドさせ、上下部の樹脂ガイド４５のガイド部４６の内側をスライドさせて下部の樹脂ガイド４５の下端の天端部４８から挿通させればよい。このとき、落し棒３５の摘み２３は落し棒ガイド３６と樹脂ガイド４５の開口溝４３から外方に突出する。
【００５５】
上記構成によれば、開扉時には落し棒ガイド３６は摘み２３を落し棒ガイド３６の上方まで引き上げ、図１５（ａ）（ｂ）に示されるように、横に９０度回動させて樹脂ガイド４５の天端部４８の凹部５０に係合させておく。また、閉扉時には図１７に示されるように、摘み２３を逆方向に９０度回動させて落し棒ガイド３６の開口溝４３に沿って下方に摺動させ、落し棒３５の下端を設置面の受けツボ４０に係合させる。
【００５６】
開扉時や閉扉時に風が吹いて門扉２、３が振動したとき、落し棒３５は落し棒ガイド３６内で振れることがあるが、落し棒３５は直接には樹脂ガイド４５の内面に接触するので、不快な音が発生することがない。
【００５７】
また、開扉時には落し棒３５の摘み２３は樹脂ガイド４５の天端部４８の凹部５０に係合した状態に保持される。この場合も、風が吹いたり、門扉２、３が動いたりしたとき、落し棒３５は落し棒ガイド３６内で振れることがあるが、落し棒３５は直接には樹脂ガイド４５の天端部４８上に接触しているので、不快な音が発生することがない。
【００５８】
さらに、上下の樹脂ガイド４５は全く同じ構造のものを利用することができるので、コストを低く抑えることができる。
【００５９】
なお、落し棒３５の騒音防止構造は上述の形態に限定されるものではない。例えば、落し棒３５の周面の一部や摘み２３を合成樹脂で覆う構成によっても、騒音の発生を防止することができる。
【００６０】
また、上述の実施形態においては、錠ケースが上部縦枠と下部縦枠との間に設けられているが、本発明はこれに限定されない。例えば、錠ケースを上部縦枠又は下部縦枠と一体に形成する構成であってもよい。また、錠ケースを縦枠ではなく、縦枠の近傍に設けられた適宜の部材（例えば中桟）と連結される構成であってもよい。
【図面の簡単な説明】
【００６１】
【図１】（ａ）（ｂ）は本発明に係る門及び門柱パネルを示す正面図
【図２】上記門の門柱部分の横断面図
【図３】上記門の門柱の一部の縦断面図
【図４】上記門の他の形態の正面図
【図５】上記門のさらに他の形態の正面図
【図６】上記門の別の形態の正面図
【図７】上記門の更に別の形態の正面図
【図８】本発明に係る門扉を備えた門の正面図
【図９】上記門の一部の横断面図
【図１０】上記門扉の正面図
【図１１】本発明に係る錠ユニットの取付態様を示す断面図
【図１２】（ａ）は錠受け部材の取付状態の側面図、（ｂ）は錠掛け部材を回動軸の中心で切断して示した側面図
【図１３】錠ユニットの斜視図
【図１４】上記錠ユニットを門扉に取り付けた状態で示した位置関係説明図
【図１５】（ａ）（ｂ）は、それぞれ本発明に係る落し棒装置の解錠時の要部の平面図および側面図
【図１６】上記落し棒装置の平面の拡大図
【図１７】上記落し棒装置の施錠状態の側面の拡大図
【図１８】（ａ）（ｂ）（ｃ）はそれぞれ樹脂ガイドの平面図、正面図及び右側面図
【図１９】（ａ）（ｂ）はそれぞれ図のＸ−Ｘ線及びＹ−Ｙ線の断面図
【符号の説明】
【００６２】
８    縦枠
８ａ    上部縦枠
８ｂ    下部縦枠
８ｃ    錠ケース
【図１】
2008190126.tif 000003
【図２】
2008190126.tif 000004
【図３】
2008190126.tif 000005
【図４】
2008190126.tif 000006
【図５】
2008190126.tif 000007
【図６】
2008190126.tif 000008
【図７】
2008190126.tif 000009
【図８】
2008190126.tif 000010
【図９】
2008190126.tif 000011
【図１０】
2008190126.tif 000012
【図１１】
2008190126.tif 000013
【図１２】
2008190126.tif 000014
【図１３】
2008190126.tif 000015
【図１４】
2008190126.tif 000016
【図１５】
2008190126.tif 000017
【図１６】
2008190126.tif 000018
【図１７】
2008190126.tif 000019
【図１８】
2008190126.tif 000020
【図１９】
2008190126.tif 000021